(57)【要約】【課題】図面情報変換手段の限られた能力の範囲内で、複数の図面データの変換作業を最小の待ち時間で効率的に行えるようにする。【解決手段】基本図面情報記憶手段２０に記憶された複数の基本図面のうちから所定の図面を変換図面選択手段２５により選択し、その図面の変換予約情報を予約情報入力手段２６から入力すると、その予約情報が予約情報記憶手段２７に記憶される。続いて、予約情報選択手段２９が予約情報記憶手段２７から所定の変換予約情報を選択すると、図面読込手段３１が前記選択された変換予約情報に対応する図面を基本図面情報記憶手段２０から読み込み、図面情報変換手段３０が前記読み込まれた図面を変換した変換図面を変換図面情報記憶手段３８が記憶する。このように単に予約の順序に応じて図面の変換を実行するのでなく、緊急度や重要度の高い変換を優先的に実行させることで、必要な図面の変換を最小の待ち時間で完成させることができる。【選択図】      図１
2004302566.tif 000002
【特許請求の範囲】
【請求項１】
複数の基本図面を記憶する基本図面情報記憶手段（２０）と、
ユーザーが基本図面情報記憶手段（２０）に記憶された基本図面から変換すべき図面を選択する変換図面選択手段（２５）と、
ユーザーが図面の変換予約情報を入力する予約情報入力手段（２６）と、
予約情報入力手段（２６）から入力された図面の変換予約情報を記憶する予約情報記憶手段（２７）と、
予約情報記憶手段（２７）に記憶された図面の変換予約情報から所定の変換予約情報を選択する予約情報選択手段（２９）と、
予約情報選択手段（２９）により選択された所定の変換予約情報に対応する基本図面を基本図面情報記憶手段（２０）から読み込む図面読込手段（３１）と、
図面読込手段（３１）により読み込まれた基本図面を変換する図面情報変換手段（３０）と、
図面情報変換手段（３０）により変換された変換図面を記憶する変換図面情報記憶手段（３８）と、
を備えたことを特徴とする図面変換装置。
【請求項２】
複数の前記図面情報変換手段（３０）と、
各々の図面情報変換手段（３０）の負荷状態を監視する負荷状態監視手段（３２）と、
負荷状態監視手段（３２）で監視した負荷状態に応じて複数の図面情報変換手段（３０）のうちから実際に図面の変換作業を実行する図面情報変換手段（３０）を選択する図面情報変換手段選択手段（３４）と、
を備えたことを特徴とする、請求項１に記載の図面変換装置。
【請求項３】
予約情報記憶手段（２７）に記憶された変換予約情報に基づいて、変換作業を実行する図面の優先順位を決定する優先順位決定手段（２８）を備え、
予約情報選択手段（２９）は、優先順位決定手段（２８）により決定された図面の優先順位に基づいて所定の変換予約情報を選択することを特徴とする、請求項１または請求項２に記載の図面変換装置。
【請求項４】
優先順位決定手段（２８）は、変換開始指定時期の早い変換予約情報の優先順位を高く設定することを特徴とする、請求項３に記載の図面変換装置。
【請求項５】
優先順位決定手段（２８）は、変換完成指定時期の早い変換予約情報の優先順位を高く設定することを特徴とする、請求項３に記載の図面変換装置。
【請求項６】
図面の変換の進捗状態を監視する進捗状態監視手段（３５）を備えたことを特徴とする、請求項１〜請求項５の何れか１項に記載の図面変換装置。
【請求項７】
図面の変換の進捗状態は、少なくとも変換未実施、変換中および変換完成の何れかであることを特徴とする、請求項６に記載の図面変換装置。
【請求項８】
基本図面情報記憶手段（２０）に記憶された基本図面には工程情報が付随しており、優先順位変更手段（３７）が所定の工程を指定すると、指定された工程に対応する図面を変換する優先順位が上がることを特徴とする、請求項１〜請求項７の何れか１項に記載の図面変換装置。
【請求項９】
基本図面情報記憶手段（２０）に記憶された基本図面には機種情報が付随しており、優先順位変更手段（３７）が所定の機種を指定すると、指定された機種に対応する図面を変換する優先順位が上がることを特徴とする、請求項１〜請求項７の何れか１項に記載の図面変換装置。
【請求項１０】
基本図面情報記憶手段（２０）に記憶された基本図面には機種情報と、その機種の開発スケジュール情報とが付随しており、優先順位変更手段（３７）が所定の機種を指定すると、指定された機種に対応する図面を変換する優先順位が前記開発スケジュール情報に応じて変更されることを特徴とする、請求項１〜請求項７の何れか１項に記載の図面変換装置。
【請求項１１】
基本図面情報記憶手段（２０）に記憶された基本図面から、ユーザーＩＤに応じて参照可能な図面を提示する図面提示手段（２４）を備えたことを特徴とする、請求項１〜請求項１０の何れか１項に記載の図面変換装置。
【発明の詳細な説明】
【０００１】
【発明の属する技術分野】
本発明は、予め記憶された複数の基本図面のうちから所定の図面を選択して表現形式を変換するための図面変換装置に関する。
【０００２】
【従来の技術】
三次元ＣＡＤデータをビューワデータに変換するためのデータ変換装置が、下記特許文献により公知である。ビューワとは、高価な三次元ＣＡＤソフトウエアでしか実現できない複雑な三次元画像の表示を、既存のパソコン環境で三次元ＣＡＤソフトに比べて遙に少ないデータ量で表示可能にするためのソフトウエアである。
【０００３】
上記データ変換装置は、複数のパソコンをネットワークを介してビューワデータ変換サーバ、ビューワファイルサーバおよびＣＡＤデータベースサーバに接続したもので、データ変換依頼者がパソコンからビューワデータ変換サーバにデータ変換を依頼すると、ビューワデータ変換サーバはデータ変換すべきＣＡＤデータをＣＡＤデータベースサーバから検索して読み込み、そのＣＡＤデータをパソコンのビューワで参照可能なビューワデータに変換する。そしてビューワデータ変換サーバがビューワデータをビューワファイルサーバに転送することで、データ変換依頼者はパソコンからビューワファイルサーバにあるビューワデータを参照するようになっている。
【０００４】
【特許文献】
特開２００２−２２２２１７号公報
【０００５】
【発明が解決しようとする課題】
ところで上記データ変換装置は、複数のパソコンからそれぞれデータ変換を依頼すると、それらのデータ変換の緊急性に関わらずに変換依頼の順番に変換が行われるため、緊急性の高いのデータ変換が後回しになる可能性がある。データ変換の遅れを防止するにはビューワデータ変換サーバの能力を高めれば良いが、そのようにするとビューワデータ変換サーバのコストが嵩むだけでなく、データ変換の依頼が少ないときにビューワデータ変換サーバの能力を充分に活用できない問題がある。
【０００６】
本発明は前述の事情に鑑みてなされたもので、図面情報変換手段の限られた能力の範囲内で、複数の図面データの変換作業を最小の待ち時間で効率的に行えるようにすることを目的とする。
【０００７】
【課題を解決するための手段】
上記目的を達成するために、請求項１に記載された発明によれば、複数の基本図面を記憶する基本図面情報記憶手段と、ユーザーが基本図面情報記憶手段に記憶された基本図面から変換すべき図面を選択する変換図面選択手段と、ユーザーが図面の変換予約情報を入力する予約情報入力手段と、予約情報入力手段から入力された図面の変換予約情報を記憶する予約情報記憶手段と、予約情報記憶手段に記憶された図面の変換予約情報から所定の変換予約情報を選択する予約情報選択手段と、予約情報選択手段により選択された所定の変換予約情報に対応する基本図面を基本図面情報記憶手段から読み込む図面読込手段と、図面読込手段により読み込まれた基本図面を変換する図面情報変換手段と、図面情報変換手段により変換された変換図面を記憶する変換図面情報記憶手段とを備えたことを特徴とする図面変換装置が提案される。
【０００８】
上記構成によれば、基本図面情報記憶手段に記憶された複数の基本図面のうちから変換すべき所定の図面を変換図面選択手段により選択するとともに、選択した図面の変換予約情報を予約情報入力手段から入力すると、その予約情報が予約情報記憶手段に記憶される。続いて、予約情報選択手段が予約情報記憶手段に記憶された図面の変換予約情報から所定の変換予約情報を選択すると、図面読込手段が前記選択された変換予約情報に対応する基本図面を基本図面情報記憶手段から読み込み、図面情報変換手段が前記読み込まれた図面を変換した変換図面を変換図面情報記憶手段が記憶する。このように、予約情報選択手段が予約情報記憶手段に記憶された図面の変換予約情報から所定の変換予約情報を選択することで、単に予約の順序に応じて図面の変換を実行するのでなく、緊急度の高い変換や重要度の高い変換を優先的に実行させることができ、図面情報変換手段の能力を無闇に高めずとも必要な図面の変換を最小の待ち時間で完成させることができる。また図面情報変換手段の負荷の小さいときに変換作業を実行することができ、しかも図面の変換予約情報に基づいて自動的に変換が行われるので、ユーザーが図面変換装置の前で変換の完成を待つという無駄がなくなり、ユーザーの負担を軽減することができる。
【０００９】
また請求項２に記載された発明によれば、請求項１の構成に加えて、複数の前記図面情報変換手段と、各々の図面情報変換手段の負荷状態を監視する負荷状態監視手段と、負荷状態監視手段で監視した負荷状態に応じて複数の図面情報変換手段のうちから実際に図面の変換作業を実行する図面情報変換手段を選択する図面情報変換手段選択手段とを備えたことを特徴とする図面変換装置が提案される。
【００１０】
上記構成によれば、複数の図面情報変換手段の負荷状態を負荷状態監視手段で監視し、その負荷状態に応じて図面情報変換手段選択手段が実際に図面の変換作業を実行する図面情報変換手段を選択するので、特定の図面情報変換手段に負荷が集中するのを防止して図面の変換に要する時間を最小限に抑えることができるだけでなく、図面情報変換手段の負荷の小さいときに変換作業を実行することができる。
【００１１】
また請求項３に記載された発明によれば、請求項１または請求項２の構成に加えて、予約情報記憶手段に記憶された変換予約情報に基づいて、変換作業を実行する図面の優先順位を決定する優先順位決定手段を備え、予約情報選択手段は、優先順位決定手段により決定された図面の優先順位に基づいて所定の変換予約情報を選択することを特徴とする図面変換装置が提案される。
【００１２】
上記構成によれば、優先順位決定手段が変換予約情報に基づいて変換作業を実行する図面の優先順位を決定すると、その優先順位に応じて所定の変換予約情報が選択されるので、予約の順番に関わらずに、緊急度の高い変換や重要度の高い変換に高い優先順位を付けて優先的に変換を完成させることができる。
【００１３】
また請求項４に記載された発明によれば、請求項３の構成に加えて、優先順位決定手段は、変換開始指定時期の早い変換予約情報の優先順位を高く設定することを特徴とする図面変換装置が提案される。
【００１４】
上記構成によれば、優先順位決定手段が変換開始指定時期の早い変換予約情報の優先順位を高く設定するので、ユーザーの都合に合わせて変換開始指定時期の早いものから変換を実行させることができる。
【００１５】
また請求項５に記載された発明によれば、請求項３の構成に加えて、優先順位決定手段は、変換完成指定時期の早い変換予約情報の優先順位を高く設定することを特徴とする図面変換装置が提案される。
【００１６】
上記構成によれば、優先順位決定手段が変換完成指定時期の早い変換予約情報の優先順位を高く設定するので、ユーザーの都合に合わせて変換完成指定時期の早いものから変換を実行させることができる。
【００１７】
また請求項６に記載された発明によれば、請求項１〜請求項５の何れか１項の構成に加えて、図面の変換の進捗状態を監視する進捗状態監視手段を備えたことを特徴とする図面変換装置が提案される。
【００１８】
上記構成によれば、進捗状態監視手段で図面の変換の進捗状態を監視するので、図面の変換がどこまで進捗しているかを把握することができる。
【００１９】
また請求項７に記載された発明によれば、請求項６の構成に加えて、図面の変換の進捗状態は、少なくとも変換未実施、変換中および変換完成の何れかであることを特徴とする図面変換装置が提案される。
【００２０】
上記構成によれば、進捗状態確認手段により図面の変換が未実施であるか、実行中であるか、完成したかを把握することができる。
【００２１】
また請求項８に記載された発明によれば、請求項１〜請求項７の何れか１項の構成に加えて、基本図面情報記憶手段に記憶された基本図面には工程情報が付随しており、優先順位変更手段が所定の工程を指定すると、指定された工程に対応する図面を変換する優先順位が上がることを特徴とする図面変換装置が提案される。
【００２２】
上記構成によれば、優先順位変更手段が所定の工程を指定すると、その工程情報が付随する基本図面を変換する優先順位が上げられるので、予め行われた予約を変更して前記所定の工程に関連する図面の変換を優先的に実行することができる。
【００２３】
また請求項９に記載された発明によれば、請求項１〜請求項７の何れか１項の構成に加えて、基本図面情報記憶手段に記憶された基本図面には機種情報が付随しており、優先順位変更手段が所定の機種を指定すると、指定された機種に対応する図面を変換する優先順位が上がることを特徴とする図面変換装置が提案される。
【００２４】
上記構成によれば、優先順位変更手段が所定の機種を指定すると、その機種情報が付随する基本図面を変換する優先順位が上げられるので、予め行われた予約を変更して前記所定の機種に関連する図面の変換を優先的に実行することができる。
【００２５】
また請求項１０に記載された発明によれば、請求項１〜請求項７の何れか１項の構成に加えて、基本図面情報記憶手段に記憶された基本図面には機種情報と、その機種の開発スケジュール情報とが付随しており、優先順位変更手段が所定の機種を指定すると、指定された機種に対応する図面を変換する優先順位が前記開発スケジュール情報に応じて変更されることを特徴とする図面変換装置が提案される。
【００２６】
上記構成によれば、優先順位変更手段が所定の機種を指定すると、指定された機種に対応する図面を変換する優先順位が該機種の開発スケジュール情報に応じて変更されるので、開発スケジュールの進捗に伴って必要になる変換図面を必要な順番で入手することができる。
【００２７】
また請求項１１に記載された発明によれば、請求項１〜請求項１０の何れか１項の構成に加えて、基本図面情報記憶手段に記憶された基本図面から、ユーザーＩＤに応じて参照可能な図面を提示する図面提示手段を備えたことを特徴とする図面変換装置が提案される。
【００２８】
上記構成によれば、図面提示手段がユーザーＩＤに応じて参照可能な基本図面を提示するので、図面の機密性を保持することができる。
【００２９】
【発明の実施の形態】
以下、本発明の実施の形態を、添付図面に示した本発明の実施例に基づいて説明する。
【００３０】
図１〜図１１は本発明の一実施例を示すもので、図１は図面変換装置のシステム構成を示すブロック図、図２は工程情報の一例を示す図、図３は機種に応じた開発スケジュール情報の一例を示す図、図４はユーザーが参照可能な図面の種類の一例を示す図、図５は機種情報から図面の変換順位を決定する手法の一例を示す図、図６は工程情報から図面の変換順位を決定する手法の一例を示す図、図７は変換開始指定時期情報から図面の変換順位を決定する手法の一例を示す図、図８は変換完成指定時期情報から図面の変換順位を決定する手法の一例を示す図、図９は複数の図面情報変換手段の負荷状態を示す図、図１０は優先順位変更処理ルーチンのフローチャート、図１１は車体にウインドウガラスを組み付ける工程のシミュレーションを行うモニタ画面を示す図である。
【００３１】
自動車の組立ラインで新機種の組み立てを開始する前に、ロボットを用いて車体に組み付ける多数の部品の各々について、その部品やそれを組み付けるロボットアームが車体や工場の構造物と干渉しないことや、部品の形状や寸法が車体の形状や寸法に一致することを予め確認しておく必要がある。図１１には、組立ラインのコンベア１１により搬送される車体１２の窓開口部１２ａに、コンベア１１の側部に配置したロボット１３のアーム１４にクランプしたウインドウガラス１５を組み付ける工程が一例として示されている。
【００３２】
前記確認作業を実際の組立ラインにおいて行おうとすると、組立ラインを長時間に亘って停止させる必要があるために他機種の生産に影響を及ぼしてしまう。そこで組立ラインを停止させることなく、上記確認作業をコンピュータを用いてシミュレートすることが考えられる。このシミュレーションを行うには、例えば三次元ＣＡＤデータとして記憶されている部品の図面、車体の図面、ロボットの図面、工場の構造物の図面をシミュレーション用の図面に変換する必要があり、そのために本実施例の図面変換装置が用いられる。
【００３３】
図１に示すように、コンピュータよりなる図面変換装置は組立ラインを流れる車体の三次元ＣＡＤデータ、それらの車体に組み付けられる多数の部品の三次元ＣＡＤデータ、部品を車体に組み付けるロボットの三次元ＣＡＤデータ、組付ステーションの近傍の構造物の三次元ＣＡＤデータ等を基本図面として記憶する基本図面情報記憶手段２０を備える。基本図面情報記憶手段２０に記憶された各々の三次元ＣＡＤデータには、その図面に固有の図面ＩＤ情報と、その図面が関連する工程を特定する工程情報と、その図面が関連する機種を特定する機種情報と、その図面が関連する機種の開発スケジュールを特定する開発スケジュール情報とが付随している。
【００３４】
図面ＩＤ情報は、その図面が例えば組立、溶接、試作、量産、機密等の何れに当てはまるものかを特定する情報であり、工程情報は、その工程が例えばバッテリ搭載工程やウインドウガラス取付工程やタイヤ取付工程等の何れに当てはまるものかを特定する情報である。
【００３５】
図２は工程情報の一例であり、バッテリ搭載工程にはバッテリの図面およびエンジンルームの図面が関連することを示し、ウインドウガラス取付工程にはウインドウガラスの図面および車体の図面が関連することを示し、タイヤ取付工程にはタイヤの図面、エンジンルームの図面および車体の図面が関連することを示している。図３は機種情報および開発スケジュール情報の一例であり、機種Ｂは４月中旬から５月下旬にかけて開発予定であることを示し、機種Ａは５月上旬から６月下旬にかけて開発予定であることを示し、機種Ｃは６月上旬から７月下旬にかけて開発予定であることを示している。
【００３６】
図１に戻り、ユーザーが操作する端末を入力手段２１からログインして認証手段２２からユーザーＩＤおよびパスワードを入力すると、図面参照許可手段２３が、基本図面情報記憶手段２０に記憶された図面のうちから、ユーザーＩＤに対応して参照可能な図面のリストを図面ＩＤ情報に基づいて検索し、それを図面提示手段２４が端末のモニタに提示する。
【００３７】
図４は参照可能な図面のリストの一例であって、ユーザーが組立担当者であれば組立、試作および量産に関連する図面ＩＤを有する図面を参照することができ、ユーザーが溶接担当者であれば溶接および量産に関連する図面ＩＤを有する図面を参照することができ、ユーザーが機密担当者であれば組立、溶接、試作、量産および機密に関連する図面ＩＤを有する図面を参照することができ、ユーザーがゲストであれば量産に関連する図面ＩＤを有する図面を参照することができる。このように、ユーザーＩＤに対応して参照可能な図面を制限することで、図面の機密性を確保することができる。
【００３８】
ユーザーは端末を操作して変換図面選択手段２５から変換すべき図面を選択するとともに、予約情報入力手段２６から前記選択された図面に対応する変換予約情報を入力する。このとき、変換図面選択手段２５で選択可能な図面は図面提示手段２４に提示された図面に限られる。また変換予約情報には、その図面が関連する工程情報や、その図面が関連する機種情報や、変換開始指定時期を特定する変換開始指定時期情報や、変換完成指定時期を特定する変換完成指定時期情報等の変換条件が含まれる。そして変換図面選択手段２５で選択された変換図面の図面ＩＤと、予約情報入力手段２６から入力された前記変換図面の変換予約情報とは予約情報記憶手段２７に記憶される。
【００３９】
優先順位決定手段２８は、予約情報入力手段２６から入力された変換予約情報の変換条件に基づいて、図面を変換する優先順位を決定する。図５は変換条件の一例であって、予約番号に応じて、工程情報、機種情報、変換開始指定時期情報および変換完成指定時期情報が示されている。ここで変換条件として機種情報の機種Ａを指定すると、優先順位決定手段２８は機種Ａに対応する予約番号１，４，５，９，１０を優先的に選択する。
【００４０】
図６は変換条件として工程情報のバッテリ搭載工程を指定した場合であり、優先順位決定手段２８はバッテリ搭載工程に関連する予約番号１，７，８を優先的に選択する。図７は変換条件として変換開始指定時期情報を指定した場合であり、優先順位決定手段２８は変換開始指定時期が早い順に予約番号２，３，１，４，５を選択する。図８は変換条件として変換完成指定時期情報を指定した場合であり、優先順位決定手段２８は変換完成指定時期が早い順に予約番号１，２，３，４，５を選択する。
【００４１】
予約情報選択手段２９は、予約情報記憶手段２７に記憶された変換予約情報のうちから、優先順位決定手段２８で決定された優先順位と、予約情報入力手段２６から入力された変換予約情報とに基づいて所定の変換予約情報を読み出し、複数の図面情報変換手段３０の何れかに出力する。図面情報変換手段３０は三次元ＣＡＤデータをシミュレーション用データに変換するもので、その図面読込手段３１が前記変換予約情報に対応する三次元ＣＡＤデータを基本図面情報記憶手段２０から読み込んで前記図面情報変換手段３０に出力する。
【００４２】
このとき、負荷状態監視手段３２が複数の図面情報変換手段３０の負荷状態を監視しており、その負荷状態を負荷状態表示手段３３により端末のモニタに表示するとともに、前記負荷状態に応じて図面情報変換手段選択手段３４が複数の図面情報変換手段３０のうちから実際の変換作業を実行する図面情報変換手段３０を選択する。
【００４３】
図９は負荷状態表示手段３３に表示された３個の図面情報変換手段３０の負荷状態を示すもので、この場合には負荷状態が最も低いＮｏ．１の図面情報変換手段３０が選択されて変換作業を実行することになる。このように、複数の図面情報変換手段３０の負荷状態を負荷状態監視手段３２で監視し、その負荷状態に応じて図面情報変換手段選択手段３４が何れかの図面情報変換手段３０を選択するので、特定の図面情報変換手段３０に負荷が集中しないようして効率良く変換作業を処理することができる。
【００４４】
また進捗状態監視手段３５は、図面情報変換手段３０により実行される図面の変換の進捗状態を監視し、それを進捗状態表示手段３６により端末のモニタに表示する。図面の変換の進捗状態には「変換未実施」、「変換中」および「変換完成」の三種類があり、これによりユーザーは図面の変換がどこまで進捗しているかを把握することができる。
【００４５】
優先順位変更手段３７は優先順位決定手段２８で決定した優先順位をユーザーの指示により変更するためのもので、例えば予約情報記憶手段２７に記憶されている複数の変換予約情報のうちから特定の変換予約情報を緊急に実行に移す必要が生じた場合には、その変換予約情報に対応する図面ＩＤを入力することにより、予約情報選択手段２９が予約情報記憶手段２７から選択する変換予約情報の順序を変更する。また優先順位変更手段３７に工程情報や機種情報を入力すれば、その工程に関連する変換予約情報や、その機種に関する変換予約情報の全てが選択されて優先的に実行に移される。あるいは機種情報を入力することで、その機種に対応する開発スケジュール情報が自動的に参照され、開発スケジュール情報に即した順番で当該機種に関する変換予約情報の優先順位が変更される。これにより、開発スケジュールの進捗に伴って必要になる変換図面を必要な順番で入手することができる。
【００４６】
図１０には優先順位変更処理のフローチャートが示される。
【００４７】
先ずステップＳ１で優先順位決定手段２８が変換条件に基づいて変換する図面の優先順位を決定すると、ステップＳ２で予約情報選択手段２９が、予約情報記憶手段２７に記憶されている変換予約情報から所定の変換予約情報を選択する。続くステップＳ３でユーザーが必要に応じて優先順位変更手段３７から優先順位の変更を指示する。そしてステップＳ４で優先順位の変更が指示されていれば、ステップＳ６で変換予約情報の優先順位を変更し、また前記ステップＳ４で優先順位の変更が指示されていなければ変換予約情報の優先順位を変更することなく、ステップＳ６で図面情報変換手段３０により図面の変換を実行する。
【００４８】
このように、優先順位変更手段３７により、予約情報記憶手段２７に記憶されている複数の変換予約情報の優先順位を変更することができるので、状況の変化により特定の図面の変換を早期に実行する必要が生じた場合でも、速やかに対応することができる。
【００４９】
以上のようにして図面情報変換手段３０により三次元ＣＡＤデータから変換されたシミュレーション用データは、変換図面情報記憶手段３８に記憶され、そこから出力手段３９である端末のモニタに表示される（図１１参照）。これにより、部品の組付が支障なく行われるか否かの確認作業を実際の組立ラインにおいて行うことなく、コンピュータを用いてシミュレートすることが可能になり、組立ラインを長時間に亘って停止させる必要をなくして他機種の生産への影響を回避することができる。
【００５０】
また図面の変換予約情報に基づいて自動的に変換が行われるので、ユーザーが図面変換装置の前で変換の完成を待つという無駄がなくなり、ユーザーの負担を軽減することができる。しかも単に予約の順序に応じて図面の変換を実行するだけでなく、緊急度の高い変換や重要度の高い変換を優先的に実行させるので、能力の高い高価な図面情報変換手段３０を必要とせずに図面の変換を最小の待ち時間で完成させることができる。
【００５１】
以上、本発明の実施例を説明したが、本発明はその要旨を逸脱しない範囲で種々の設計変更を行うことが可能である。
【００５２】
例えば、実施例では三次元ＣＡＤデータからシミュレーション用データへの変換について説明したが、本発明の図面変換装置は他の任意の形式あるいは他の任意の用途の図面変換に適用することができる。
【００５３】
【発明の効果】
以上のように請求項１に記載された発明によれば、基本図面情報記憶手段に記憶された複数の基本図面のうちから変換すべき所定の図面を変換図面選択手段により選択するとともに、選択した図面の変換予約情報を予約情報入力手段から入力すると、その予約情報が予約情報記憶手段に記憶される。続いて、予約情報選択手段が予約情報記憶手段に記憶された図面の変換予約情報から所定の変換予約情報を選択すると、図面読込手段が前記選択された変換予約情報に対応する基本図面を基本図面情報記憶手段から読み込み、図面情報変換手段が前記読み込まれた図面を変換した変換図面を変換図面情報記憶手段が記憶する。このように、予約情報選択手段が予約情報記憶手段に記憶された図面の変換予約情報から所定の変換予約情報を選択することで、単に予約の順序に応じて図面の変換を実行するのでなく、緊急度の高い変換や重要度の高い変換を優先的に実行させることができ、図面情報変換手段の能力を無闇に高めずとも必要な図面の変換を最小の待ち時間で完成させることができる。また図面情報変換手段の負荷の小さいときに変換作業を実行することができ、しかも図面の変換予約情報に基づいて自動的に変換が行われるので、ユーザーが図面変換装置の前で変換の完成を待つという無駄がなくなり、ユーザーの負担を軽減することができる。
【００５４】
また請求項２に記載された発明によれば、複数の図面情報変換手段の負荷状態を負荷状態監視手段で監視し、その負荷状態に応じて図面情報変換手段選択手段が実際に図面の変換作業を実行する図面情報変換手段を選択するので、特定の図面情報変換手段に負荷が集中するのを防止して図面の変換に要する時間を最小限に抑えることができるだけでなく、図面情報変換手段の負荷の小さいときに変換作業を実行することができる。
【００５５】
また請求項３に記載された発明によれば、優先順位決定手段が変換予約情報に基づいて変換作業を実行する図面の優先順位を決定すると、その優先順位に応じて所定の変換予約情報が選択されるので、予約の順番に関わらずに、緊急度の高い変換や重要度の高い変換に高い優先順位を付けて優先的に変換を完成させることができる。
【００５６】
また請求項４に記載された発明によれば、優先順位決定手段が変換開始指定時期の早い変換予約情報の優先順位を高く設定するので、ユーザーの都合に合わせて変換開始指定時期の早いものから変換を実行させることができる。
【００５７】
また請求項５に記載された発明によれば、優先順位決定手段が変換完成指定時期の早い変換予約情報の優先順位を高く設定するので、ユーザーの都合に合わせて変換完成指定時期の早いものから変換を実行させることができる。
【００５８】
また請求項６に記載された発明によれば、進捗状態監視手段で図面の変換の進捗状態を監視するので、図面の変換がどこまで進捗しているかを把握することができる。
【００５９】
また請求項７に記載された発明によれば、進捗状態確認手段により図面の変換が未実施であるか、実行中であるか、完成したかを把握することができる。
【００６０】
また請求項８に記載された発明によれば、優先順位変更手段が所定の工程を指定すると、その工程情報が付随する基本図面を変換する優先順位が上げられるので、予め行われた予約を変更して前記所定の工程に関連する図面の変換を優先的に実行することができる。
【００６１】
また請求項９に記載された発明によれば、優先順位変更手段が所定の機種を指定すると、その機種情報が付随する基本図面を変換する優先順位が上げられるので、予め行われた予約を変更して前記所定の機種に関連する図面の変換を優先的に実行することができる。
【００６２】
また請求項１０に記載された発明によれば、優先順位変更手段が所定の機種を指定すると、指定された機種に対応する図面を変換する優先順位が該機種の開発スケジュール情報に応じて変更されるので、開発スケジュールの進捗に伴って必要になる変換図面を必要な順番で入手することができる。
【００６３】
また請求項１１に記載された発明によれば、図面提示手段がユーザーＩＤに応じて参照可能な基本図面を提示するので、図面の機密性を保持することができる。
【図面の簡単な説明】
【図１】図面変換装置のシステム構成を示すブロック図
【図２】工程情報の一例を示す図
【図３】機種に応じた開発スケジュール情報の一例を示す図
【図４】ユーザーが参照可能な図面の種類の一例を示す図
【図５】機種情報から図面の変換順位を決定する手法の一例を示す図
【図６】工程情報から図面の変換順位を決定する手法の一例を示す図
【図７】変換開始指定時期情報から図面の変換順位を決定する手法の一例を示す図
【図８】変換完成指定時期情報から図面の変換順位を決定する手法の一例を示す図
【図９】複数の図面情報変換手段の負荷状態を示す図
【図１０】優先順位変更処理ルーチンのフローチャート
【図１１】車体にウインドウガラスを組み付ける工程のシミュレーションを行うモニタ画面を示す図
【符号の説明】
２０        基本図面情報記憶手段
２４        図面提示手段
２５        変換図面選択手段
２６        予約情報入力手段
２７        予約情報記憶手段
２８        優先順位決定手段
２９        予約情報選択手段
３０        図面情報変換手段
３１        図面読込手段
３２        負荷状態監視手段
３４        図面情報変換手段選択手段
３５        進捗状態監視手段
３７        優先順位変更手段
３８        変換図面情報記憶手段
【図１】
2004302566.tif 000003
【図２】
2004302566.tif 000004
【図３】
2004302566.tif 000005
【図４】
2004302566.tif 000006
【図５】
2004302566.tif 000007
【図６】
2004302566.tif 000008
【図７】
2004302566.tif 000009
【図８】
2004302566.tif 000010
【図９】
2004302566.tif 000011
【図１０】
2004302566.tif 000012
【図１１】
2004302566.tif 000013